(57)【要約】【課題】荷物を片手に持っていても、もう一方の手だけで傘を開閉でき、使用後でも傘を収納することで室内を濡らさない。【解決手段】傘を収納するための筒を有し、駆動機を有し、電源を有し、スイッチで開閉を制御する構造を有し、弾性力によって自動で閉じる蓋を有し、電動で開閉する構造にする。【選択図】          図１
2005224549.tif 000002
【特許請求の範囲】
【請求項１】
傘を収納するための筒を有し、駆動機を有し、電源を有し、スイッチで開閉を制御する構造を有し、弾性力によって自動で閉じる蓋を有し、電動で開閉する構造を特徴とする自動傘。
【請求項２】
駆動機にモーターを備えた請求項１記載の自動傘
【請求項３】
スクリュー状の回転軸を備えた請求項２記載の自動傘
【発明の詳細な説明】
【発明の詳細な説明】
【技術分野】
【０００１】本発明は、例えば荷物を持っていて傘をうまく開閉できなかったり、店内や電車の車内などで傘を閉じたときに濡れた面が表に出て、周囲の人に迷惑となったり、店内や車内を汚したりしない電動で開閉する自動傘。
【背景技術】
【０００２】従来の傘は使用後に表面に水滴が付いてしまい、店内や電車内に持ち込んだ場合、濡れた面が表に出て、周囲の人に迷惑となったり、店内や電車内を汚したりしていた。また、傘を弾性体によりワンタッチで開くことはできたが、傘を閉じるのには両手を使っていた。
傘の表面に付く水滴での不都合を回避するためにビニール袋に収納する方法がある。これは店内に入る前に、濡れた傘で店内や商品を汚さないようにビニール袋に収納するものである。しかし店を出るときに傘を収納していたビニール袋がゴミとして排出される。
傘の表面に付く水滴の不都合と、ゴミとしてビニール袋が排出される不都合を回避するための方法として収納傘がある（例えば、特許文献１参照。）。収納傘は第９図のように、直列に引き伸ばされた直径が異なる２つ筒体（Ａ）の最遠部に入るように収納される傘であって、使用時には内側の筒体（Ｂ）の先端部と石突きとの間に張られ、且つ傘本体と筒体（Ａ）および（Ｂ）とが一体となっていることを特徴とする、筒体に収納可能な傘である。しかしながら、収納された状態から傘を使用するのに筒体（Ａ）を引き下げ、次に握りを引き出し、ストッパーが環の下に入り、ストッパーの下に下がらないようにし、このようにした後、柄を押し上げ、傘を張り、張りが十分でないので筒体を引き出し、ピンによりその位置を固定して傘の張りを調節する手順をしなければならない。収納するのには使用するときの逆の手順をしなければならない。さらに、水滴が筒から漏れぬように傘を収納した後に蓋をつける。
【特許文献１】特開昭６０−１５８８０６号公報
【発明が解決しようとする課題】
【０００３】しかしながら、これには次のような欠点があった。従来の傘は使用した後は表面に水滴が付いてしまい、電車内の人込みの場所に持ち込んだ場合には周囲の人に迷惑をかけてしまう。また、盗難防止のため店内に使用後の傘を持ち込んだ場合、店内を汚してしまう可能性があった。
傘を収納するためビニール袋についても、一部の店にしか設置されていないので、ビニール袋を設置していない店、そして電車や自動車の車内ではこの方法は取れない。また、傘をビニール袋にスムーズに収納することは難しく、傘に付いた水滴で手を汚してしまう。またビニール袋がゴミとして大量に出るので環境によくない。
収納傘についても、収納した状態から使用するのにも、使用した状態から収納するのにもいくつもの手順しなければならないので、瞬時に使用できない。例えばバスから降りる場所に屋根が無いとき、傘を開くまでに濡れてしまう。さらに操作するのに両手を使わなければなちず、荷物で片手しか使えないときや、障害で片手しか使えない人には簡単に傘を閉じることができない。
【課題を解決するための手段】
【０００４】  本発明は上記の課題を解決するものであって、傘を収納するための筒を持ち、電源を有し、電動で開閉する構造を持ち、スイッチで開閉を制御する構造を持ち、筒に取り付けた蓋が弾性力によって閉じることを特徴とする自動傘。
【発明を実施するための最良の形態】
【０００５】  発明の実施形態を実施例に基づき図面を参照して説明する。第２図は傘を収納しているときの状態である。第２図において（１ａ）は筒で傘本体を収納するものである。（６）はスイッチで傘を開いたり閉じたりを制御するものである。（１ｂ）は蓋で布（１１）に付着した雨水が漏れないようにするものである。蓋（１ｂ）には第４図の断面図のように内部に例えばコイルバネのような弾性体（１ｄ）を設ける。弾性体（１ｄ）が蓋（１ｂ）を（１ｅ）を支点にして引っ張っている状態になる。よって蓋（１ｂ）は外力を与えない限り閉じた状態になっている。【０００６】第３図は傘を開いたときの状態である。第３図において（３ａ）と（３ｂ）は骨である。開閉部材（２）に骨（３ａ）と骨（３ｂ）を装着させる。長いほうの骨（３ａ）に布（１１）を張る。
第５図は本発明の一部を欠載した断面図である。また第７図は開閉部材（２）の一部を欠載した平面図である。骨（３ａ）の一端は開閉部材（２）の先端部（２ｂ）のスリット（１０ｂ）に接続している。また、このとき骨（３ａ）の穴にワイヤが通っていて先端部（２ｂ）のスリット（１０ｂ）に回転できるように接続している。そして骨（３ｂ）の一端は開閉部材（２）の基端部（２ａ）のスリット（１０ａ）に接続している。また、骨（３ｂ）の穴にワイヤが通っていて、基端部（２ａ）のスリット（１０ａ）に回転できるように接続している。骨（３ｂ）の他端は骨（３ａ）に回転できるように接続している。【０００７】開閉部材（２）の先端部（２ｂ）を下に動かすと、基端部（２ａ）に接触し骨（３）が回転して傘を閉じた状態になる。外部から力を与えないと弾性体（２ｃ）の弾性力で傘が開いた状態になる。例えば、弾性体（２ｃ）は図のようにコイルバネを利用できる。【０００８】筒（１ａ）の中心を通るスクリュー状の溝がある回転軸（７）を設ける。傘の開閉部材（２）に回転軸（７）のピッチに合わせた溝を内側に設けた移動軸承管（２ｅ）を設ける。移動軸承管（２ｅ）に開閉部材（２）の基端部（２ａ）との間に回転防止用と開閉部材（２）を上昇させるためのストッパー（２ｆ）を設ける。開閉部材（２）の基端部（２ａ）にストッパー（２ｆ）に合わせたスリット（２ｇ）を設ける。回転軸（７）の下部に歯車（９ａ）を設ける。歯車（９ａ）に連結した歯車（９ｂ）を設ける。歯車（９ｂ）に連結した歯車（９ｃ）を設ける。歯車（９ｃ）を装着する駆動機としてモーター（４）を設ける。モーター（４）を動かすための電源（５）と傘の開閉を制御するスイッチ（８ａ）とスイッチ（８ｂ）とスイッチ（６）を設ける。傘本体の回転しないように筒（１ａ）の内側に導線を通すための空洞を設けたストッパー（１ｃ）を設ける。ストッパー（１ｃ）内には雨水は入らない。開閉部材（２）の基端部（２ａ）にストッパー（１ｃ）に合わせたスリット（２ｄ）を設ける。【０００９】使用方法を説明する。傘を開く場合はスイッチ（６）を入れるとモーター（４）が回転し、歯車（９ｃ）、歯車（９ｂ）、歯車（９ａ）と回転軸（７）が回転する。移動軸承管（２ｅ）はストッパー（１ｃ）とストッパー（２ｆ）が回転を止める。ストッパー（２ｆ）の側面が基端部（２ａ）のスリット（２ｇ）に引っ掛かるので、開閉部材（２）は移動軸承管（２ｅ）と共に上へスライド移動して行く。このとき蓋（１ｂ）開けながら上がっていく。開閉部材（２）が筒（１ａ）の上部まで行くとスイッチ（８ａ）に接触して回転が止まる。このときに傘は完全に開いている。【００１０】傘を閉じるには開くときとは逆にスイッチ（６）を入れる。モーター（４）は開くときとは逆方向に回転して、歯車（９ｃ）、歯車（９ｂ）、歯車（９ａ）と回転軸（７）も逆回転する。傘を開くときと同様に開閉部材（２）は回転しないで降下する。このとき開閉部材（２）は骨（３）を閉じながら筒（１ａ）の中を降下していく。開閉部材（２）がスイッチ（８ｂ）に接触して回転が止まる。このとき蓋（１ｂ）は弾性力によって閉じている。【００１１】実施例２として、駆動機を実施例１のモーター（４）に代えて気圧変換機（１２）を設けたものである。筒（１ａ）内部と開閉部材（２）の基端部（２ａ）との間の気圧を変えることにより開閉部材（２）を移動させ傘を開閉する。【００１２】筒（１ａ）の内部に筒（１ａ）内部と基端部（２ａ）との間から空気が漏れる気圧が外部の気圧と同じになるので、密封しなければならない。第８図のように使用例１の第５図とは違う箇所は、開閉部材（２）の基端部（２ａ）と移動軸承菅（２ｅ）を融合し、移動軸承菅（２ｅ）の中空部分を埋める。これを基端部（２ａ）とする。回転軸（７）、歯車（９ａ）、歯車（９ｂ）、歯車（９ｃ）、ストッパー（１ｃ）を取り除く。開閉部材（２）の基端部（２ａ）の側面に柔軟な気密性が高い素材を取り付け、筒（１ａ）の内側に密着させ空気が漏れない構造にする。筒（１ａ）内部の気圧を変化させるときの空気の出入り口になる通気口（１３）を設ける。【００１３】傘を開くときは、スイッチ（６）を入れて、気圧変換機（１２）で筒（１ａ）内の気圧を上げると、開閉部材（２）が上昇すると同時に傘が弾性体（２ｃ）によって開いていく。このとき骨（３）は蓋（１ｂ）を押し上げながら、上昇している。スイッチ（８ａ）に接触して止まる。【００１４】傘を閉じるときは、スイッチ（６）を開くときとは、逆に入れて気圧変換機（１２）で筒（１ａ）内の気圧を下げると、開閉部材（２）を下降すると同時に傘が閉じていく。スイッチ（８ｂ）に接触して止まる。このとき蓋（１ｂ）は弾性体（１ｄ）によって閉じている。【００１５】実施例３として上記のものに折りたたみができるように、傘の骨（３）を折れるようにして、筒（１ａ）を幾重かに重ねられるようにしてコンパクトにした折り畳み可能な実施例１又は、実施例２の自動傘。【００１６】実施例４として上記のものに発光素子を付け、暗闇でも安全に確保できるようにした実施例１又は、実施例２又は、実施例３の自動傘。【００１７】実施例５として上記のものに反射テープを付け、暗闇でも安全を確保できるようにした実施例１又は、実施例２又は、実施例３又は、実施例４の自動傘。【００１８】実施例６として充電電池を備えた実施例１又は、実施例２又は、実施例３又は、実施例４又は実施例５の自動傘。【００１９】実施例７として実施例６に傘立てとしても使える充電器を備えたもの。【００２０】本発明で使用する傘の骨の構造は従来の傘に使用されている公知のものから任意に選ぶことができる。【００２１】本発明は雨傘に有効であるが、日傘に応用しても良いことは勿論である。
【発明の効果】
上記のように傘の開閉は片手でスイッチを操作することでできるので、荷物で片手しか使えないときや、障害で片手しか使えない人にも簡単に開閉することができる。また、傘を閉じると同時に収納するので、車内や混雑している場所で本人や周囲の人あるいは物を濡らすことがなくなる。そして、屋内に持ち込めるので盗まれることもなくなる。
【図面の簡単な説明】
【図１】本発明の開いたときの斜視図
【図２】本発明の閉じたときの斜視図
【図３】本発明が傘を開いたときの一部を欠載した正面図である。
【図４】本発明の傘が閉じたときの一部を欠載した断面図である。
【図５】本発明の一部を欠載した断面図である。
【図６】本発明の傘が閉じたときの一部を欠載した平面図である。
【図７】本発明の開閉部材の一部を欠載した平面図である。
【図８】本発明の実施例２の一部を欠載した断面図である。
【図９】特許文献１の特開昭６０−１５８８０６号の図
【符号の説明】
１  筒      １ａ  筒      １ｂ  蓋      １ｃ  ストッパー      １ｄ  弾性体
１ｅ  支点
２  開閉部材      ２ａ  基端部      ２ｂ  先端部      ２Ｃ  弾性体
２ｄ  スリット      ２ｅ  移動軸承菅      ２ｆ  ストッパー      ２ｇ  スリット
３  骨      ３ａ  骨      ３ｂ  骨
４  モーター      ５  電源      ６  スイッチ
７  回転軸      ８ａ  スイッチ      スイッチ  ８ｂ
９ａ  歯車      ９ｂ  歯車      ９ｃ  歯車
１０ａ  スリット      １０ｂ  スリット
１１  布      １２  気圧変換機      １３  通気口
Ａ  筒体      Ｂ  筒体
【図１】
2005224549.tif 000003
【図２】
2005224549.tif 000004
【図３】
2005224549.tif 000005
【図４】
2005224549.tif 000006
【図５】
2005224549.tif 000007
【図６】
2005224549.tif 000008
【図７】
2005224549.tif 000009
【図８】
2005224549.tif 000010
【図９】
2005224549.tif 000011